(57)【要約】      （修正有）【課題】脚に窮屈感、締め付け感も与えず、ほどよい感触で保温することができると共に、ずり下がりを確実に防止することができる脚用布団を提供する。【解決手段】帯状の一枚の布団体を、二つに折り上側布団体２ａと下側布団体２ｂを重ね合わせ、その長手方向の端部を綴じ合わせて筒状布団体２を形成し、中綿偏り防止部材にて膝部分を保温する第１保温部３と、ふくらはぎ部を保温する第２保温部４と、足先を保温する第３保温部５を形成すると共に、第２・第３保温部の境界部外側面に足首部を利用してずり落ち防止を行うバンド７を設けた。【選択図】図１
0003190816.tif 000002
【実用新案登録請求の範囲】
【請求項１】
片足ずつそれぞれ履いて使用する脚保温具であって、柔軟な生地間に中綿を入れた一枚の帯状体を、中央折り曲げ部を介して二つに折り上側布団体と下側布団体を重ね合わせ、その長手方向の左右両端部を連続的に綴じ合わせて、一端に開口部を有する膝上からふくらはぎ、足首、足先までを抱持する程度の内周径且つ該内周径を膝保温部から足保温部まで同一若しくは略同一に形成した筒状布団体を形成し、この筒状布団体の上側布団体内及び下側布団体内の生地間に配置した中綿偏り防止部材にて膝部分を保温する第１保温部と、ふくらはぎ部を保温する第２保温部と、足先を保温する第３保温部を構成すると共に、上記第２保温部と第３保温部の境界部外周面に足首部を利用してずり落ち防止を行うバンドを設けた事を特徴とする脚保温具。
【請求項２】
上記脚保温具の生地を、表面生地に綿素材、中生地にポリエステル生地の２重構造とした事を特徴とする請求項１に記載の脚保温具。
【請求項３】
上記脚保温具の筒状布団体の第３保温部の中綿の量を、第１及び第２保温部に対して密に充填した事を特徴とする請求項１又は請求項２に記載の脚保温具。
【考案の詳細な説明】
【技術分野】
【０００１】
本考案は、就寝時などに使用する膝上からつま先までを保温するための脚保温具に関する。
【背景技術】
【０００２】
就寝時に脚部が冷えて寝つきが悪くなったり、快眠できないことが多々ある。このような場合は、靴下を履いて寝たり、湯たんぽ等の加温器具を寝具の中に入れたりする。しかし、靴下を履いて寝ると足が締め付けられ、加温器具を用いると低温やけどを起こす心配がある。
そこで、就寝時の脚の冷えを防ぐ脚保温具が種々提案されている。
【０００３】
例えば、特許文献１には、一端に開口部を有する袋状の足保温袋と、前記足保温袋の他端に略半円状を形成する様に閉じた先端部と、前記開口部から前側の先端部方向に開閉するファスナーと、前記開口部の周縁に沿って取り付けられた紐通し部とを備えた脚保温具が記載されている。
また、特許文献２には、膝上からつま先までを覆う筒状の本体部と、同本体部の長手方向の一端部に設けられた閉端部と、該本体部の長手方向の他方の端部に設けられた開口端部とを備え、前記筒状の本体部の幅は、靴下の幅よりも大きくした脚保温具が記載されている。
【先行技術文献】
【特許文献】
【０００４】
【特許文献１】実用新案登録第３１２３７００号
【特許文献２】実用新案登録第３１７７３３５号
【考案の概要】
【考案が解決しようとする課題】
【０００５】
上記特許文献１は、紐状、ファスナー状の締め付け部材を有するものであり、脱着時の緊締操作や取り外しが煩わしく面倒であった。また、紐通し部を締めつけてふくらはぎの膨らみを利用してずり下がりを防止しているが、ふくらはぎの膨らみは膝部から足首部に至る直線上に位置するため、ずり下がりを確実に防止せんがためしっかり締め付ける必要がある。このため、就寝時に長時間に亘っての窮屈感と締め付け感をもたらせ、使用者の不快感を誘引し快眠を妨げる恐れがある。
【０００６】
上記特許文献２は、筒状の本体部の幅を、通常の靴下の幅よりも大きくしパジャマ等の着衣の上から使用できるようにしているが、容易にずり下がるのを防止するため伸縮性を持たせて着衣の上から脚にフィットさせるため、就寝時に長時間に亘って窮屈感と締め付け感をもたらせ使用者の不快感を誘引し快眠を妨げるものであった。特に人それぞれにより足の大きさ（太さ）も異なるため、人によっては非常に窮屈感や締め付け感を感じる一方、窮屈感や締め付け感は少ないが睡眠中に簡単にずり下がり外れてしまう問題を有するものであった。
【課題を解決するための手段】
【０００７】
本考案の脚保温具は、片足ずつそれぞれ履いて使用する脚保温具であって、柔軟な生地間に中綿を入れた一枚の帯状体を、中央折り曲げ部を介して二つに折り上側布団体と下側布団体を重ね合わせ、その長手方向の左右両端部を連続的に綴じ合わせて、一端に開口部を有する膝上からふくらはぎ、足首、足先までを抱持する程度の内周径且つ該内周径を膝保温部から足保温部まで同一若しくは略同一に形成した筒状布団体を形成し、この筒状布団体の上側布団体及び下側布団体の生地間に配置した中綿偏り防止部材にて膝部分を保温する第１保温部と、ふくらはぎ部を保温する第２保温部と、足先を保温する第３保温部を構成すると共に、上記第２保温部と第３保温部の境界部外周面に足首部を利用したずり落ち防止を行うバンドを設けた事を特徴とする。
【０００８】
また、本考案の脚保温具は、上記生地を、表面生地に綿素材、中生地にポリエステル生地の２重構造とした事を特徴とする。
【０００９】
更に、本考案の脚保温具は、上記筒状布団体の第３保温部の中綿の量を、第１及び第２保温部に対して密に充填した事を特徴とする。
【考案の効果】
【００１０】
第１に、上記筒状布団体を、膝上からふくらはぎ、足首、足先までを抱持する程度の内周径、且つ該内周径を膝保温部から足保温部まで同一若しくは略同一とした筒状に形成しているので、老若男女問わず脚の挿入及び抜出し作業が極めて容易に行うことができると共に、脚の窮屈感、締め付け感も全くなく、更に膝や足首の曲げにも抵抗感がないので就寝中の足の動きに支障がなく、自由な姿勢で眠る事ができる利点がある。
【００１１】
第２に、上記筒状布団体の上側布団体及び下側布団体の生地間に配置した中綿偏り防止部材にて布団の厚みを持たせて第１保温部、第２保温部、第３保温部を構成するようにしてなるので、各境界部の内部空間（窪み）を少なくして挿入した脚と上側布団体及び下側布団体との接触面積を増やし脚全体を包み込み、脚全体をほどよい感触で十分保温し快眠を与えることができると共に、中綿の偏りも防止できる利点がある。
【００１２】
第３に、第２保温部と第３保温部の境界部外周面に設けたバンドにて軽く筒状布団体の外径を絞り込むだけで、足首部のくびれと、つま先側への曲がり及びかかと側への出っ張りを利用してずり下がりを阻止してなるので、足首に圧迫感、締め付け感を与えることなく確実に脚保温具の外れを防止できると共に、使用者の不快感を誘引し快眠を妨げることがない利点がある。
【００１３】
第４に、柔軟な生地間に中綿を入れた帯状の一枚の布団体を、中央折り曲げ部を介して二つに折り上側布団体と下側布団体を重ね合わせ、その長手方向の左右両端部を連続的に綴じ合わせて筒状布団体を形成して成るので、構成も簡単で製造作業性もよい脚保温具を提供することができる利点がある。
【００１４】
第５に、布団体の生地を、表面生地に綿素材、中生地にポリエステル生地の２重構造としてなるので、表面の心地よい肌触り感と、中綿の吹き出し防止を兼ね備えた高品質の脚保温具を提供できる利点がある。
【００１５】
第６に、筒状布団体の第３保温部の中綿の量を密にしてなるので、特に冷えやすい足先を十分に保温することができる利点がある。
【図面の簡単な説明】
【００１６】
【図１】本考案の一実施例を示す脚保温具の斜視図
【図２】図１の脚保温具の下端側から見た外観図
【図３】図１の脚保温具の横断面図
【図４】図１の脚保温具の縦断面図
【図５】本考案の一実施例を示す脚保温具の足挿入時の外観側面図
【考案を実施するための形態】
【００１７】
以下、本考案の実施例を図面に基づいて詳述する。
図１に示すように、脚保温具本体１は、膝部分を保温するための第１保温部３と、ふくらはぎ部を保温するための第２保温部４と、足先を保温するための第３保温部５とから成る筒状布団体２と、上記第２保温部４と第３保温部５の境界部外周面に設けた足首部を利用してずり落ち防止を行うためのバンド７とから大略構成している。
【００１８】
上記脚保温具本体１の筒状布団体２は、図１乃至図４に示すように柔軟な生地９、１０間に中綿１１を入れた一枚の帯状体を、中央折り曲げ部８を介して二つに折って上側布団体２ａと下側布団体２ｂを重ね合わせ、その長手方向の左右両端部をそれぞれ連続的に縫合して綴じ合わせることにより、一端に開口部６を有する膝上からふくらはぎ、足首、足先までを抱持する程度の内周径且つ該内周径を膝保温部から足保温部まで同一若しくは略同一とした筒状に形成している。これにより、構成も簡単であり製造作業性もよい脚保温具本体１としている。
【００１９】
なお、上記柔軟な生地材９、１０は、図３及び図４に示すように表面生地９ａ、１０ａと中生地９ｂ、１０ｂの２重構造とし、その表面生地９ａ、１０ａに綿素材、中生地９ｂ、１０ｂにポリエステル生地をそれぞれ使用し、この両者を重ね合わせ縫合して構成する一方、中綿１１は例えば保温に最適な羽毛、又はポリエステル綿のいずれかを使用している。これにより、表面生地９ａ、１０ａの綿素材により心地よい肌触り感を付与すると共に、中生地９ｂ、１０ｂのポリエステル生地により中綿１１の吹き出しを防止した高品質の脚保温具本体１を提供し、且つ家庭での洗濯を可能としている。なお、上記中綿１１は、特に上記第３保温部５の中綿１１の量を第１及び第２保温部３，４に比し密に充填し、使用時に特に冷えやすい足先を十分に保温するようにしている。
【００２０】
また、図４に示すように上記上側布団体２ａと下側布団体２ｂの第１保温部３と第２保温部４と第３保温部５の各境界部に位置して、生地９、１０間にメッシュ状の中綿偏り防止部材１２を設けて各第１・第２・第３保温部３、４、５間を仕切り、上記上側布団体２ａ内及び下側布団体２ｂ内の通気性を保ちつつ、中綿１１が就寝中の体の動きにより偏り難くしている。また、上記中綿偏り防止部材１２の所要上下幅にて各第１・第２・第３保温部３、４、５の境界部位の布団厚みを確保し、筒状布団体２の内部空間（窪み）が形成されるのを極力少なくしている。
【００２１】
なお、上記バンド７は、図示しないが先端に面ファスナーなどの締結手段を有してなり、この締結手段にて筒状布団体２の外径を若干絞り込むことにより、足首部を利用して脚保温具本体１の外れ防止する。
【００２２】
次に、その使用時について詳述する。
先ずは、図４に示すようにバンド７を緩めた状態で、筒状布団体２の開口部６から脚を挿入し、図５に示すように第３保温部５まで差し込む。この時、筒状布団体２は膝上からふくらはぎ、足首、足先までを抱持する程度の内周径且つ該内周径を膝保温部から足保温部まで同一若しくは略同一とした筒状に形成しているので、健常者、老若男女問わず脚の挿入又は抜出作業が極めて容易に行えると共に、装着状態時において脚に窮屈感、締め付け感を与えず、更に膝や足首の曲げにも抵抗感がない。
しかも、上記筒状布団体２の内部空間（窪み）を少なくしているので、挿入した脚と上側布団体及び下側布団体との接触面積を増し、脚全体を万遍なく包み込み、柔軟な生地材使用と相俟ってふんわりとしたほどよい感触で足全体を保温することができる。
【００２３】
この状態で図５に示すようにバンド７の図示しない面ファスナー等の締結手段にて筒状布団体２の外径を若干絞り、足首部を利用して脚保温具本体１の外れを防止する。
この時、バンド７を筒状布団体２が足首に密着する位に絞り込む必要はなく、個人個人の足首部に軽く引っ掛る程度に絞り込めば、足首部のくびれと、足のつま先側への曲がり及びかかと側への出っ張りにて、同部に絞り込んだ筒状布団体２が引っ掛かり脚保温具本体１のずり下がりを確実に阻止する。これにより、寝返りを打っても脚保温具本体１が外れるのを確実に防止すると共に、脚に窮屈感、締め付け感を与えず、使用者の不快感を誘引し快眠を妨げることがない。
【００２４】
次に、脚保温具本体１を脱ぐ場合には、上記とは逆にバンド７の締結手段を解除した後、脚を筒状布団体２の開口部６から引き出せばよい。
このように、従来のように紐、ゴムの使用や、生地の伸縮性にて足に圧迫感、締め付け感を与えることもなく、使用感も非常によく、且つ簡単な構成にして実施できる脚保温具を提供することができるものである。
【産業上の利用可能性】
【００２５】
本考案の脚保温具は、現代の冷え性対策のひとつであり、特に足の冷え性の人には、快適な睡眠環境が得られるものであり家庭用として健常者、老若男女問わずに気持ちよく使用できる。また洗濯、乾燥が簡単であるので、衛生的で病院や介護施設などにも使用できるもので、産業上の利用可能性は高いものである。
【符号の説明】
【００２６】
１  脚保温具本体
２  筒状布団体
２ａ  上側布団体
２ｂ  下側布団体
３  第１保温部
４  第２保温部
５  第３保温部
６  開口部
７  バンド
８  折り曲げ部
９、１０  生地
９ａ、１０ａ  表面生地
９ｂ、１０ｂ  中生地
１１  中綿
１２  中綿偏り防止部材
【図１】
0003190816.tif 000003
【図２】
0003190816.tif 000004
【図３】
0003190816.tif 000005
【図４】
0003190816.tif 000006
【図５】
0003190816.tif 000007